(57)【要約】      （修正有）【課題】２端子構造の場合においても、電力供給ケーブルを容易に接続することができ、且つ良好な耐久性を有するハブダイナモを提供する。【解決手段】車輪が回転することにより発電し、車輪が設けられる自転車の電装品に電力を供給するためのハブダイナモ１０であって、車輪をその軸心位置にて支持しつつ該車輪と共に回転し、内部に発電機を収容するハブハウジング２０と、ハブハウジング２０を軸心位置にて回転可能に支持するハブ軸５０と、２つの端子６０、７０を互いに絶縁するための端子カバー８０と、を備え、端子カバー８０は、軸心方向に厚みを有し、且つ軸心方向から見て直線状となるように形成されたフラットな端面を含み、２つの端子６０、７０は、それぞれ、端子カバー８０のフラットな端面から突出するように設けられる。【選択図】図２
0003212217.tif 000002
【実用新案登録請求の範囲】
【請求項１】
車輪が回転することにより発電し、前記車輪が設けられる自転車の電装品に電力を供給するためのハブダイナモであって、
前記車輪をその軸心位置にて支持しつつ該車輪と共に回転し、内部に発電機を収容するハブハウジングと、
前記ハブハウジングを前記軸心位置にて回転可能に支持するハブ軸と、
前記ハブ軸に支持され、前記ハブハウジングにおける前記軸心方向の端面に沿って延びる信号線用端子および該信号線用端子に併設されるアース線用端子と、
前記２つの端子を互いに絶縁するための端子カバーと、を備え、
前記端子カバーは、前記軸心方向に厚みを有し、且つ前記軸心方向から見て直線状となるように形成されたフラットな端面を含み、
前記２つの端子は、それぞれ、前記端子カバーのフラットな端面から突出するように設けられる、ハブダイナモ。
【請求項２】
前記ハブハウジングは、筒状のハウジング本体と、該ハウジング本体の前記軸心方向の両端部分から拡径方向へ延びた円板形状のハブ鍔と、を有し、
前記ハブ鍔の周縁部は、前記拡径方向へ向かうにしたがって前記軸心方向において前記ハウジング本体に近づく傾斜面を有する、請求項１に記載のハブダイナモ。
【考案の詳細な説明】
【技術分野】
【０００１】
本考案は、ハブダイナモに関する。
【背景技術】
【０００２】
従来から、車輪が回転することにより発電し、該車輪が設けられる自転車の電装品（例えば、照明装置など）に電力を供給するためのハブダイナモが知られている。このようなハブダイナモとして、例えば、特許文献１に開示された自転車用電装品の通電構造がある。
【０００３】
特許文献１には、ハブ軸に軸支されるハブアセンブリ内にハブダイナモが装着されており、ハブダイナモの出力端子からプラス側の電力供給ケーブルであるハーネスがバスケットステーに巻き付けられて上方へ配線されることが記載されている。また、ハブ軸には内側から順次、フロントフォークの下端部、バスケットステーの下端部が挿入され、菊座ハブワッシャー、ハブワッシャー、ハブナットにより緊締固定されることが記載されている。
【先行技術文献】
【特許文献】
【０００４】
【特許文献１】特開２０１４−２３４１２５号公報
【考案の概要】
【考案が解決しようとする課題】
【０００５】
ところで、特許文献１やその他の従来からあるハブダイナモでは、一般に、信号線用端子を保護するための保護部材が電力供給ケーブル側に設けられる。該保護部材は、電力供給ケーブルが信号線用端子に接続されることで、信号線用端子を覆うことができるように構成されている。また、従来からあるハブダイナモでは、一般に、信号線用端子とアースを成すハブ軸とを互いに絶縁するための端子カバーが設けられている。そして、該端子カバーから信号線用端子に沿うように突出して、電力供給ケーブルに接続される以前の信号線用端子を仮保護するための仮保護部材が設けられる。しかしながら、該仮保護部材に妨げられて、信号線用端子に電力供給ケーブルを接続することが困難になるという問題があった。また、該仮保護部材が折れる等して破損し易いことに起因して、耐久性が不十分であるという問題もあった。
【０００６】
さらに、特許文献１には記載されていないが、上記のような信号線用端子に併設されるアース線用端子を備えた２端子構造のハブダイナモが知られている。そして、該２端子構造のハブダイナモは、上記のような問題が顕著になり得るという問題があった。
【０００７】
そこで、本考案は、２端子構造の場合においても、電力供給ケーブルを容易に接続することができ、且つ良好な耐久性を有するハブダイナモを提供することを目的とする。
【課題を解決するための手段】
【０００８】
前記課題を解決するために、本考案に係るハブダイナモは、車輪が回転することにより発電し、前記車輪が設けられる自転車の電装品に電力を供給するためのハブダイナモであって、前記車輪をその軸心位置にて支持しつつ該車輪と共に回転し、内部に発電機を収容するハブハウジングと、前記ハブハウジングを前記軸心位置にて回転可能に支持するハブ軸と、前記ハブ軸に支持され、前記ハブハウジングにおける前記軸心方向の端面に沿って延びる信号線用端子および該信号線用端子に併設されるアース線用端子と、前記２つの端子を互いに絶縁するための端子カバーと、を備え、前記端子カバーは、前記軸心方向に厚みを有し、且つ前記軸心方向から見て直線状となるように形成されたフラットな端面を含み、前記２つの端子は、それぞれ、前記端子カバーのフラットな端面から突出するように設けられる。
【０００９】
この構成によれば、２端子構造の場合においても、従来のように信号線用端子に沿うように突出して設けられる仮保護部材に妨げられて、電力供給ケーブルを接続することが困難になることはない。また、該仮保護部材が破損する虞もないため、耐久性が不十分になることもない。以上の通りであるため、本考案は、２端子構造の場合においても、電力供給ケーブルを容易に接続することができ、且つ良好な耐久性を有するハブダイナモを提供することができる。
【００１０】
前記ハブハウジングは、筒状のハウジング本体と、該ハウジング本体の前記軸心方向の両端部分から拡径方向へ延びた円板形状のハブ鍔と、を有し、前記ハブ鍔の周縁部は、前記拡径方向へ向かうにしたがって前記軸心方向において前記ハウジング本体に近づく傾斜面を有する。
【００１１】
この構成によれば、車輪に設けられる複数のスポークとハブ鍔が互いに干渉することを防止することができ、且つ美観を向上させることができる。
【考案の効果】
【００１２】
本考案は、２端子構造の場合においても、電力供給ケーブルを容易に接続することができ、且つ良好な耐久性を有するハブダイナモを提供することができる。
【図面の簡単な説明】
【００１３】
【図１】本考案の実施形態に係るハブダイナモが取り付けられる自転車の部分的な側面図である。
【図２】本考案の実施形態に係るハブダイナモの外観斜視図である。
【図３】本考案の実施形態に係るハブダイナモの側面図である。
【図４】本考案の実施形態に係るハブダイナモの正面図である。
【考案を実施するための形態】
【００１４】
以下、本考案の実施形態を、添付図面を参照して説明する。なお、以下では、全ての図を通じて同一又は相当する要素には同一の参照符号を付して、その重複する説明を省略する。
【００１５】
（ハブダイナモ１０）
図１は、本考案の実施形態に係るハブダイナモが取り付けられる自転車の部分的な側面図である。図１に示すように、本実施形態に係るハブダイナモ１０は、自転車１００の前輪１１０（車輪）の中心部に取り付けて用いられる。該ハブダイナモ１０は、前輪１１０が回転することにより発電し、自転車１００の電装品（例えば、照明装置など）に電力を供給する。自転車１００に供給された電力は、例えば、自転車１００の照明装置を点灯させるために用いられる。
【００１６】
図２は、本考案の実施形態に係るハブダイナモの外観斜視図である。図３は、該ハブダイナモの側面図である。図４は、該ハブダイナモの正面図である。図２〜４に示すように、本実施形態に係るハブダイナモ１０は、前輪１１０をその軸心位置にて支持しつつ前輪１１０と共に回転し、内部に発電機（図示せず）を収容するハブハウジング２０と、ハブハウジング２０を軸心位置にて回転可能に支持するハブ軸５０と、ハブ軸５０に支持され、ハブハウジング２０における軸心方向の端面に沿って延びる信号線用端子６０および該信号線用端子６０に併設されるアース線用端子７０（以下単に「２つの端子６０、７０」ということがある。）と、２つの端子６０、７０を互いに絶縁するための端子カバー８０と、を備える。
【００１７】
（ハブハウジング２０）
ハブハウジング２０は、筒状のハウジング本体３０と、該ハウジング本体３０の軸心方向の両端部分から拡径方向へ延びた円板形状のハブ鍔４０ａ、４０ｂと、を有する。なお、ハブ鍔４０ａは、ハウジング本体３０の軸心方向の一方端部分に一体的に形成され、ハブ鍔４０ｂは、他方端部分に一体的に形成されている。
【００１８】
ハウジング本体３０の径寸法は一定ではなく、軸心方向の位置に応じて異なっている。具体的には、ハウジング本体３０の軸心方向の一方端部分から中央部分までは相対的に径寸法が大きく、他方端部分は相対的に径寸法が小さくなっている。このようなハウジング本体３０の内部に、コイル及び永久磁石等から成る上記した発電機（図示せず）が収容される。
【００１９】
ハブ鍔４０ａは、スポーク１３０を介して前輪１１０を支持する。そのために、ハブ鍔４０ａの周縁部の近傍には、該周縁部に沿うように互いに等間隔を空けて複数のスポーク孔４８が穿設される。該複数のスポーク孔４８には、それぞれ、自転車１００のスポーク１３０の端部が通される。これにより、ハブハウジング２０は、前輪１１０をその軸心位置にて支持しつつ該前輪１１０と共に回転することができる。
【００２０】
また、ハブ鍔４０ａの周縁部は、拡径方向へ向かうにしがたって軸心方向においてハウジング本体３０に近づく傾斜面４２を有する。換言すると、ハブ鍔４０ａの周縁部は、その外面側（軸心方向の一方端側）のエッジ部分が削り取られてテーパ状を成し、傾斜面４２を形成している。なお、ハブ鍔４０ｂは、軸心方向において単に対象的な構造になっているだけであるので、ここではその説明を繰り返さない。
【００２１】
ハブハウジング２０は、ハブ鍔４０ａの外面に沿うように設けられる端子カバー８０、ワッシャ９０及びロックナット９２ａと、ハブ鍔４０ｂの外面に沿うように設けられるロックナット９２ｂとの間に、ハブ軸５０に軸心方向において位置決めされる。このようなハブハウジング２０は、例えば、アルミダイキャストを用いて形成されてもよい。なお、ハブハウジング２０は、例えば内部に設けられたラジアル軸受を介してハブ軸５０に対し回転可能に支持されており、上述した端子カバー８０、ワッシャ９０、及びロックナット９２ａ、９２ｂは、いずれもハブ軸５０側に設けられている。なお、ハブダイナモ１０が自転車１００に装着される際には、ロックナット９２ｂは樹脂製のキャップ９４によってその側面を覆われる。図３では図示の便宜上、当該キャップ９４を二点鎖線により示している。
【００２２】
（ハブ軸５０）
ハブ軸５０は、その軸心方向が前輪１１０の厚み方向と一致するように、自転車１００に取り付けられる。具体的には、ハブ軸５０は、自転車１００の車体の一部を構成するフロントフォーク１２０に軸心方向の両端部を支持され、自転車１００に取り付けられる。また、ハブ軸５０は、筒状のハブハウジング２０の軸心位置を貫通して設けられている。なお、ハブ軸５０の外面には、ロックナット９２ａ、９２ｂを螺合するための螺子溝（図示せず）が形成されてもよい。
【００２３】
（２つの端子６０、７０）
信号線用端子６０は、自転車１００の電装品のプラス端子に電力供給用のケーブルを介して電気的に接続され、該電装品に発電機で発電した電力を供給するための出力端子である。アース線用端子７０は、例えば電装品のマイナス端子（グランド端子）にアース用のケーブルを介して電気的に接続される。これら２つの端子６０、７０は、ハブハウジング２０のハブ鍔４０ａの外面に沿って、互いに平行に延びるように設けられる。また、これら２つの端子６０、７０は、それぞれ、端子カバー８０の後述するフラットな端面８２から突出するように設けられる。
【００２４】
信号線用端子６０の幅寸法（図４で左右方向に沿った寸法）は、アース線用端子７０の幅寸法（同前）よりも小さい。また、信号線用端子６０及びアース線用端子７０は、軸心方向の同じ位置に設けられる。これにより図３では、信号線用端子６０に隠れてアース線用端子７０が見えない状態となっている。さらに、信号線用端子６０及びアース線用端子７０は、軸心方向から見て、互いにいずれか一方の幅寸法程度だけ離間して併設される。これにより、電力供給ケーブルを一層容易に接続することが可能になる。なお、本実施形態では、図４に示すように、アース線用端子７０の幅寸法程度だけ離間して併設されている。
【００２５】
ところで、電力供給用とアース用の各ケーブル（図示せず）において、上記２つの端子６０、７０に接続されるソケット部分には、ケーブルと端子との接続状態を保護するための保護部材（図示せず）が取り付けられる。この保護部材は、例えば可撓性の樹脂等によりチューブ状に形成され、各ケーブルが２つの端子６０、７０それぞれに接続された状態では、端子とソケットとを一体的に覆うことができるように構成されている。なお、これら２つの端子６０、７０は、端子カバー８０の後述するフラットな端面８２から同じ寸法だけ突出していることが好ましい。これにより、ケーブル側に設けられる保護部材を取り付け易くなる。
【００２６】
（端子カバー８０）
端子カバー８０は、信号線用端子６０とアース線用端子７０（２つの端子）を互いに絶縁し、且つアース線用端子７０を保持するために設けられる。端子カバー８０は、軸心方向に所定の厚みを有し、且つ該軸心方向から見て直線状となるように形成されたフラットな端面８２を含む。なお、ここでいう「フラット」とは、軸心方向から見て直線状となることを広く意味し、例えば、従来のように信号線用端子に沿うように爪状の仮保護部材などが突出して設けられていない形状であればよい。したがって、該フラットな端面８２には、本実施形態のように、２つの端子６０、７０が通るための貫通孔が穿設されていてもよい。
【００２７】
該端子カバー８０は、軸心方向から見て、矩形体が有する所定の一辺が円弧状に丸められることで矩形と半円とが合成された形状を成し、該一辺の対辺に位置する部分がフラットな端面８２を成している。具体的には、該端子カバー８０は、軸心方向から見て、フラットな端面８２の一方側の端部から２つの端子６０、７０が突出する方向とは相対する方向に垂下して直線状となるように形成された一方側の端面８４と、フラットな端面８２の他方側の端部から一方側の端面と同じ方向に垂下して直線状となるように形成された他方側の端面８６と、一方側の端面８４の垂下した先に位置する端部と、他方側の端面８６の垂下した先に位置する端部とを接続し、且つハブ軸５０と同芯の円弧状となるように形成された円弧状の端面８８と、を含む。
【００２８】
端子カバー８０には、ハブ軸５０と同芯の部分に、該ハブ軸５０を通す貫通孔が穿設される。端子カバー８０は、ハブハウジング２０におけるハブ鍔４０ａの外面に沿うように位置し、かつ、ハブ軸５０に対して回転不能な状態で固定される。なお、端子カバー８０は、ハブ鍔４０ａの外面と、ワッシャ９０を介して設けられるロックナット９２ａとの間に、軸心方向において位置決めされる。端子カバー８０は、絶縁性部材として構成されており、例えば、合成樹脂を用いて形成されてもよい。また、ハブハウジング２０におけるハブ鍔４０ｂの外面に沿うように設けられるキャップ９４も、端子カバー８０と同様の材料を用いて形成されていてもよい。
【００２９】
（効果）
以上に説明したように、本実施形態に係るハブダイナモ１０は、端子カバー８０のフラットな端面８２から突出するように設けられる２つの端子６０、７０を備える。これにより、本実施形態に係るハブダイナモ１０は、従来のように信号線用端子に沿うように突出して設けられる仮保護部材に妨げられて電力供給ケーブルを接続することが困難になることはない。また、該仮保護部材が破損する虞もないため、耐久性が不十分になることもない。その結果、本実施形態に係るハブダイナモ１０は、２端子構造の場合においても、電力供給ケーブルを容易に接続することができ、且つ良好な耐久性を有する。
【００３０】
本実施形態では、ハブ鍔４０ａ、４０ｂの周縁部は、拡径方向へ向かうにしがたって軸心方向においてハウジング本体３０に近づく傾斜面４２を有する。これにより、前輪１１０に設けられる複数のスポーク１３０とハブ鍔４０ａ、４０ｂとが互いに干渉することを防止することができ、且つ美観を向上させることができる。
【００３１】
上記説明から、当業者にとっては、本考案の多くの改良や他の実施形態が明らかである。したがって、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００３２】
１０  ハブダイナモ
２０  ハブハウジング
３０  ハウジング本体
４０ａ、４０ｂ  ハブ鍔
４２  傾斜面
４８  スポーク孔
５０  ハブ軸
６０  信号用端子
７０  アース用端子
８０  端子カバー
８２  フラットな端面
８４  一方側の端面
８６  他方側の端面
８８  円弧状の端面
９０  ワッシャ
９２ａ、９２ｂ  ロックナット
９４  キャップ
１００  自転車
１１０  前輪
１２０  フロントフォーク
１３０  スポーク
【図１】
0003212217.tif 000003
【図２】
0003212217.tif 000004
【図３】
0003212217.tif 000005
【図４】
0003212217.tif 000006